(57)【要約】【課題】クオークの軌道はどのようであるか。クオークは電磁気の軌道を回転するのか。それとも、クオークの軌道＝7.705×10−33Jm÷粒子1個のエネルギー、の式で計算する軌道を回転するのか。この事により、クオークは電磁気の束であるか、粒子であるかを知る。ニュートリノ振動はどのようにおきるか。【解決手段】クオークが電磁気の軌道を回転するときの回転軌道を、1.233×10-41Jm÷クオークのエネルギー、の式で計算する。クオークが電磁気の軌道を回転するときの回転軌道は小さすぎる。よって、クオークは粒子である。ニュートリノ振動はマグマを通過する時、マグマの場の電磁気が付加しておきる。マグマの温度を1200℃とする。マグマのAは、A=12001/2=3.464×10、です。この場の電子のラブの公転軌道は、1.058×10−10m÷(3.464×10)＝3.054×10−12mです。ミューニュートリノの電磁気の公転軌道は5.118×10-13mですから、軌道が近いので付加する。【選択図】図２
2018125989.tif 000002
【特許請求の範囲】
【請求項１】
クオークの軌道について。(2016年7月1日に提出した、特願2016−131420「粒子の中のクオーク」の「請求項１」のクオークの軌道の表について)
私は、2016年6月28日に提出した、「Δ−(1232)、Σー、Ξ−、Ω−」の「請求項４」に於いて、クオークの軌道エネルギーは、7.705×10−33Jmである事を知った。
そして、Δ−(1232)とΣーとΞ−とΩ−について、各々のクオークを設定し、それらについて、ラブの軌道とクオークの軌道を示した。
私は、2016年7月1日に提出した、特願2016−131420「粒子の中のクオーク」の「請求項１」に於いて、各種のクオークの質量エネルギー、電磁気数、電磁気1個のエネルギー、クオークの軌道をもとめ、それを表1に記した。
それは次の通りです。
クオークの質量エネルギー、電磁気数、電磁気1個のエネルギー、クオークの軌道
表２８
2018125989.tif 000030
この表で、問題に成る事は、電磁気1個の軌道＝クオークの軌道となっている事です。
電磁気1個の軌道はクオークの軌道ではない。
電磁気1個の軌道は、1.233×10−41Jm÷電磁気1個のエネルギー、である。
はたして、クオークの軌道はどのようであるかを再検討する。
【請求項２】
クオークは電磁気であるので、クオークの軌道は、1.233×10−41Jm÷クオークのエネルギー、と考える場合。
私は、2016年6月28日に提出した、特願2016−127116「Δ−1(1232)、Σ−1、Ξ−1、Ω−1」の「請求項４」クオークの軌道の計算はどのようにするべきか。に於いて、クオークの軌道エネルギーは、7.705×10−33Jmである事を理解した。
そして、2016年7月1日に提出した、特願2016−131420「粒子の中のクオーク」の「請求項１」に於いて、各種のクオークの質量エネルギー、電磁気数、電磁気1個のエネルギー、クオークの軌道をもとめ、それを表1に記した。
しかし、この式で計算できるクオークの軌道は、クオークの電磁気1個の軌道である。クオークの軌道＝クオークの電磁気1個の軌道とした。
更に、2017年1月16日に提出した、特願2017−004766「クオークとダークマター」の「請求項5」に於いて次のように記した。
(私は、課題４において、クオークの存在意義は陽子の中心で、回転軸のように作用する事であると考えた。しかし、クオークは電磁気の束であり、電磁気の軌道を回転し、陽子のラブの軌道を回転しているのではない事に気づいた。それで、クオークは陽子のラブの公転軌道の中央部の軌道を回転しているのではない。クオークは電磁気の軌道を回転しているのである。
この事によって理解できる事
１．クオークは陽子や他の素粒子の中央に存在していない。中央に存在しているように観察されるが、この軌道は電磁気の軌道です。
2．クオークが存在する軌道は電磁気の軌道であり、ラブの軌道ではない。
3．ラブの軌道は、軌道＝8.665×10−24Jm÷エネルギー、の式によって求められる。
4．電磁気の軌道は、軌道＝1.233×10−41Jm÷エネルギー、の式によって求められる。
5．ラブの軌道は電磁気の軌道の、8.665×10−24Jm÷(1.233×10−41Jm)＝7.028×1017倍のエネルギーである。
6．電磁気の軌道はラブの軌道の、1.233×10−41Jm÷(8.665×10−24Jm)＝1.423×10−18倍のエネルギーである。
これはまるで、太陽が回転する軌道を太陽の質量の7.028×1017分の1×ｘ の質量の小惑星が太陽と一緒に回転しているようなものです。
7．クオークは電磁気です。電磁気の集合体であり、電磁気の軌道を回転する。
それで、クオークは電磁気であるので、クオークの軌道＝1.233×10−41Jm÷クオークのエネルギー、の式で計算する。
クオークの軌道は電磁気の軌道です。
表２９
2018125989.tif 000031
この表により理解できる事。
1．クオークは電磁気の中央の軌道10−29m〜10−34mの軌道を回転する。
2．クオークは電磁気の中心の軌道を回転する。
3．クオークは電磁気の軌道の中心で、陽子のラブの中心軸のようでもある。)
【請求項３】
Δ−1(1232)、Σ−1、Ξ−1、Ω−1について。Δ−1(1232)、Σ−1、Ξ−1、Ω−1については2016年6月28日に提出した、特願2016−127116に記した。今回は、クオークは電磁気であるとして、クオークの電磁気の軌道を考える。
○Δ−(1232)の構造はΔ−(1232)のラブとdクオークと、dクオークと、dクオークです。どのように回転しているか。
今回は、クオークは電磁気であるとして、クオークの電磁気の軌道を考える。
クオークは、4.1MeV のdクオークと4.9MeV のdクオークと5.7MeV のdクオークとする。
表３０
2018125989.tif 000032
表３１
2018125989.tif 000033
4.9MeV のdクオークの軌道＝1.233×10−41Jm÷(7.850×10−13J)＝1.571×10−29m
Δ−(1232)のラブは3.215×10-18mの軌道を自転し、磁気の光子を作り、4.444×10-14mの軌道を公転し、電気の光子を作っている。
5.7MeV のdクオークは1.350×10−29mの電磁気の軌道を回転し、その外側の4.9MeV のdクオークは1.571×10−29mの電磁気の軌道を回転し、更に外側の4.1MeV のdクオークは1.877×10−29mの電磁気の軌道を回転している。
○Σ-の構成は、Σ-のラブとdクオークと、dクオークと、sクオークです。どのように回転しているか。
今回は、クオークは電磁気であるとして、クオークの電磁気の軌道を考える。
クオークは、4.1MeVのdクオークと5.7MeVのdクオークと130MeVのsクオークとする。
表３２
2018125989.tif 000034
表３３
2018125989.tif 000035
Σ−のラブは3.701×10-18mの軌道を自転し、磁気の光子を作り、5.115×10-14mの軌道を公転して電気の光子を作っている。
130MeV のsクオークは5.919×10−31mの電磁気の軌道を回転している。その外側を5.7MeV のdクオークは1.350×10−29mの電磁気の軌道を回転している。更に外側を4.1MeV のdクオークは1.877×10−29mの電磁気の軌道を回転している。
○Ξ-の構成は、Ξ-のラブとdクオークと、sクオークと、sクオークです。どのように回転しているか。
今回は、クオークは電磁気であるとして、クオークの電磁気の軌道を考える。
クオークは、5.7MeVのdクオークと80MeVのsクオークと130MeVのsクオークとする。
表３４
2018125989.tif 000036
表３５
2018125989.tif 000037
Ξ−のラブは3.560×10-18mの軌道を自転し、磁気の光子を作り、4.920×10-14mの軌道を公転し、電気の光子を作っている。
130MeV のsクオークは5.919×10−31m の電磁気の軌道を回転している。その外側を80MeVのsクオークは9.618×10−31mの電磁気の軌道を回転している。更に外側を5.7MeV のdクオークは1.350×10−29mの電磁気の軌道を回転している。
○Ω−の構造は、Ω-のラブとsクオークと、sクオークと、sクオークです。どのように回転しているか。
今回は、クオークは電磁気であるとして、クオークの電磁気の軌道を考える。
クオークは、130 MeVのsクオークと105MeVのsクオークと80MeVのsクオークとする。
表３６
2018125989.tif 000038
表３７
2018125989.tif 000039
105MeV のsクオークの軌道＝1.233×10−41Jm÷(1.682×10-11J)＝7.331×10−31m
Ω−のラブは2.882×10-18m の軌道を自転し、磁気の光子を作り、3.984×10-14mの軌道を公転し、電気の光子を作っている。
130MeV のsクオークは5.919×10−31mの電磁気の軌道を回転している。その外側を105MeVのsクオークは7.331×10−31m の電磁気の軌道を回転している。更に外側を80MeV のsクオークは9.618×10−31mの電磁気の軌道を回転している。
まとめ  
Δ-(1232)のラブとΣ-のラブとΞ-のラブとΩ−のラブの中を回転するクオークの軌道はどのようであるか。
今回は、クオークは電磁気であるとして、クオークの電磁気の軌道を考える。
ラブの中を回転するクオークの軌道をまとめて表に示す。
ラブの中を回転するクオークの軌道
表３８
2018125989.tif 000040
【請求項４】
D+中間子、B+中間子、π+中間子、ρ(770)+中間子、K+中間子について。2016年5月24日に提出した、特願2016-103199「中間子２」に於いて、中間子は、中間子の中心の物とクオークと反クオークによって構成される。どのように回転しているか、を考えた。今回は、クオークは電磁気であるとして、クオークの電磁気の軌道を考える。
○D+中間子は、D+ 中間子の中心の物とcクオークと反dクオークによって構成される。どのように回転しているか。
今回は、クオークは電磁気であるとして、クオークの電磁気の軌道を考える。
D+中間子の中の回転
表３９
2018125989.tif 000041
○B+中間子は、B+中間子の中心の物とuクオークと反bクオークによって構成される。どのように回転しているか。
今回は、クオークは電磁気であるとして、クオークの電磁気の軌道を考える。
B+中間子の中の回転
表４０
2018125989.tif 000042
○π+中間子は、π+中間子の中心の物とuクオークと反bクオークによって構成される。どのように回転しているか。
今回は、クオークは電磁気であるとして、クオークの電磁気の軌道を考える。
π+中間子の中の回転
表４１
2018125989.tif 000043
○ρ(770)+中間子は、ρ(770)+中間子の中心の物とuクオークと反dクオークによって構成される。どのよう回転しているか。
今回は、クオークは電磁気であるとして、クオークの電磁気の軌道を考える。
K+中間子の中の回転
表４２
2018125989.tif 000044
○K+中間子は、K+中間子の中心の物とuクオークと反sクオークによって構成される。どのように回転しているか。
今回は、クオークは電磁気であるとして、クオークの電磁気の軌道を考える。
K+中間子の中の回転
表４３
2018125989.tif 000045
【請求項５】
陽子、Δ+(1232)、Σ＋、Λ＋c、について。2016年6月9日に提出した、特願2016-114926「陽子、Δ+(１２３２)、Σ+、A+c  」に於いて、陽子は、陽子の中心の物とuクオークとuクオークとdクオークによって構成される。どのように回転しているか、を考えた。今回は、クオークは電磁気であるとして、クオークの電磁気の軌道を考える。
○陽子は中心の物とuクオークとuクオークとdクオークによって構成される。どのように回転しているか。
今回は、クオークは電磁気であるとして、クオークの電磁気の軌道を考える。
クオークは、1.7MeVのuクオーク、3.1 MeVのuクオーク、5.7MeVのdクオークとする。
陽子の中の回転
表４４
2018125989.tif 000046
○  Δ+(1232)は中心の物とuクオークとuクオークとdクオークによって構成される。どのように回転しているか。
今回は、クオークは電磁気であるとして、クオークの電磁気の軌道を考える。
クオークは、1.7MeVのuクオーク、3.1 MeVのu、5.7MeVのdクオークとする。
Δ+(1232)の中の回転
表４５
2018125989.tif 000047
○Σ＋は中心の物とuクオークとuクオークとsクオークによって構成される。どのように回転しているか。
今回は、クオークは電磁気であるとして、クオークの電磁気の軌道を考える。
クオークは、1.7MeVのuクオーク、3.1 MeVのuクオーク、130MeVのsクオークとする。
Σ＋の中の回転
表４６
2018125989.tif 000048
○Λ＋cは中心の物とuクオークとdクオークとcクオークによって構成される。どのように回転しているか。
今回は、クオークは電磁気であるとして、クオークの電磁気の軌道を考える。
クオークは、3.1 MeVのuクオーク、5.7MeVのdクオーク、1340MeVのcクオークとする。
Λ＋cの中の回転
表４７
2018125989.tif 000049
【請求項６】
中性子、Δ0(1232)、Σ0、Ξ0について。2016年6月22日に提出した、特願2016-123108「中性子、Δ0,Σ0、Ξ0」に於いて、中性子は、中性子の中心の物とuクオークとdクオークとdクオークによって構成される。どのように回転しているか、を考えた。今回は、クオークは電磁気であるとして、クオークの電磁気の軌道を考える。
○中性子は中心の物とuクオークとdクオークとdクオークによって構成される。どのように回転しているか。
今回は、クオークは電磁気であるとして、クオークの軌道を考える。
クオークは、3.1MeVのuクオーク、4.1 MeVのdクオーク、5.7MeVのdクオークとする。
中性子の中の軌道
表４８
2018125989.tif 000050
○Δ0(1232)は中心の物とuクオークとdクオークとdクオークによって構成される。どのように回転しているか。
今回は、クオークは電磁気であるとして、クオークの電磁気の軌道を考える。
クオークは、3.1MeVのuクオーク、4.1 MeVのdクオーク、5.7MeVのdクオークとする。
Δ0(1232)の中の回転
表４９
2018125989.tif 000051
○Σ0は中心の物とuクオークとdクオークとsクオークによって構成される。どのように回転しているか。
今回は、クオークは電磁気であるとして、クオークの電磁気の軌道を考える。
クオークは、3.1MeVのuクオーク、5.7MeVのdクオーク、130MeVのsクオークとする。
Σ0の中の回転
表５０
2018125989.tif 000052
○Ξ0は中心の物とuクオークとsクオークとsクオークによって構成される。どのように回転しているか。
今回は、クオークは電磁気であるとして、クオークの電磁気の軌道を考える。
クオークは、3.1MeVのuクオーク、80MeVのsクオーク、130MeVのsクオークとする。
Ξ0の中の回転
表５１
2018125989.tif 000053
【請求項７】
はたして、クオークは電磁気が6.249×108個集まった束であり電磁気の軌道を回転しているのか、それとも、電磁気が6.249×108個集まった1個の粒子としてクオークの軌道を回転しているのか。クオークは電磁気が6.249×108個集まった束であり電磁気であるか、それとも、クオークは電磁気が6.249×108個集まった1個の粒子であるか。
クオークは電磁気であると考えた場合、クオークの軌道は小さすぎる。それで、クオークは電磁気が6.249×108個集まった粒子であり電磁気でない。
クオークは電磁気が6.249×108個集まった1個の粒子である。
クオークは電磁気が6.249×108個集まった1個の粒子であるとき、クオークの軌道はどのように考えるべきか。
クオークの軌道＝電磁気6.249×108個の軌道＝クオークの軌道エネルギーの式÷クオークの質量エネルギー＝7.705×10−33Jm÷クオークの質量エネルギー
よって、表１を次のように訂正する
クオークは電磁気が6.249×108個集まった1個の粒子であるときのクオークの軌道
クオークの質量エネルギー、電磁気数、電磁気6.249×108個のエネルギー、クオークの軌道
表５２
2018125989.tif 000054
この表により理解できる事
1．クオークは電磁気が6.249×108個結合した粒子である。
2．クオークの質量エネルギーは、電磁気1個のエネルギー×6.249×108個です。
3．クオークの軌道は、クオークは電磁気が6.249×108個結合した粒子の軌道である。
4．クオークの軌道は、電磁気6.249×108個の粒子の軌道＝1.233×10−41Jm×6.249×108個÷粒子1個のエネルギー＝7.705×10−33Jm÷粒子1個のエネルギー、である。
5．クオークの軌道エネルギーは電磁気が6.249×108個結合した粒子のエネルギー×電磁気6.249×108個結合した粒子の軌道＝電磁気が6.249×108個結合した粒子のエネルギー×1.233×10−41Jm×6.249×108個÷粒子1個のエネルギー＝電磁気が6.249×108個結合した粒子のエネルギー×1.233×10−41Jm×6.249×108個÷電磁気が6.249×108個結合した粒子のエネルギー＝1.233×10−41Jm×6.249×108個＝7.705×10−33Jm、である。
【請求項８】
陽子の中にはクオークが3個あります。そのうちの1個を引き離します。クオークを1つ取り除いても、陽子の中には別にクオークが1個現れ、再び3個のクオークに成ります。この現象は何を示すか。
1．クオークは陽子のラブが存在する以前から存在したのではない。
1．クオークは陽子のラブにより作られる。
1．この事によって、クオークはビッグバンの時には存在しなかったことが理解できる。
1．素粒子はクオークからできたのではない。
1．クオークは、陽子のラブが自転し、公転することによってできる電磁気が6.249×108個集まってできる粒子である。
それで、1個のクオークが取り除かれても、取り除かれたクオークと同じ種類のクオークが、陽子のラブが自転し、公転することによってできる電磁気が6.249×108個集まってできる。
1．陽子のラブはuとdどちらの種類のクオークでも作れる。
1．クオークは存在する軌道により、エネルギーを異にする。
1．再生されるクオークは取り除かれたクオークと同じ種類のクオークです。
1．クオークは存在する事が必要であり、必ず存在する、必要十分条件により存在する。
【請求項９】
クオークとは何か。
「クオークとは粒子の中の高エネルギーの軌道に存在する粒子で、どの軌道に存在するかによりエネルギーを異にする粒子である。」
・例えば、陽子のなかに存在するクオークは、陽子の高エネルギーの軌道、2.830×10−20m〜8.438×10−21mに存在する粒子である。
2.830×10−20m(1.7MeVの軌道)〜1.552×10−20m(3.1MeVの軌道)に存在するクオークをuクオークとし、1.173×10−20m(4.1MeVの軌道)〜8.438×10−21m(5.7MeVの軌道)に存在するクオークをdクオークとしている。
「クオークは同じ方向に回転しており、ラブが公転する方向に回転する。クオークの種類の違いは回転する軌道とエネルギーです。」
「クオークはクオークが存在する軌道と同じ軌道の電磁気が6.249×108個集まってできる粒子である。」
uクオークは、2.830×10−20mの軌道の電磁気が6.249×108個集まってできる粒子である。そのエネルギーは、電磁気1個のエネルギーは、1.233×10−41Jm÷(2.830×10−20m)=
4.357 ×10−22Jで、6.249×108個集まって、4.357×10−22J×6.249×108個＝2.723×10−13J＝1.7MeV、に成る。
・例えば、中性子の中にはuクオーク、dクオーク、dクオークが存在する。
uクオークは、2.830×10−20m(1.7MeVの軌道)〜1.552×10−20m(3.1MeVの軌道)に存在する。
dクオークは、1.173×10−20m(4.1MeVの軌道)〜8.438×10−21m(5.7MeVの軌道)に存在する。
2.830×10−20m〜1.552×10−20mの軌道の中に1個のクオークが存在し、回転する。
1.173×10−20m〜8.438×10−21mの軌道の中に2個のクオークが存在し、回転する。
uクオークとdクオークは同じ方向に回転する。中性子のラブの公転方向と同じ方向に回転する。
uクオークとdクオークの違いは回転する軌道とエネルギーです。電荷は無い。
【請求項１０】
クオークと軌道
クオークのエネルギーは一定でない。エネルギーの範囲がある。
この事は、クオークの軌道は一定でない。軌道の範囲がある。
それで、クオークは軌道の範囲で表すことができる。
uクオークは軌道が、2.830×10−20m〜1.552×10−20mのものです。
dクオークは軌道が、1.173×10−20m〜8.438×10−21mのものです。
sクオークは軌道が、6.010×10−22m〜3.699×10−22mのものです。
cクオークは軌道が、4.077×10−23m〜3.589 ×10−23mのものです。
bクオークは軌道が、1.165×10−23m〜1.101×10−23mのものです。
tクオークは軌道が、2.782×10−25mのものです。
この事を表に示す。
クオークの軌道の範囲
表５３
2018125989.tif 000055
【請求項１１】
各種の素粒子の中のクオークの軌道
・陽子はuudです。
軌道が、2.830×10−20m〜1.552×10−20mの中に2個のクオークが存在し、回転する。
軌道が、1.173×10−20m〜8.438×10−21mの中に1個のクオークが存在し、回転する。
・中性子はuddです。
軌道が、2.830×10−20m〜1.552×10−20mの中に1個のクオークが存在し、回転する。
軌道が、1.173×10−20m〜8.438×10−21mの中に2個のクオークが存在し、回転する。
・Δ＋＋(1232)はuuuです。
軌道が、2.830×10−20m〜1.552×10−20mの中に3個のクオークが存在し、回転する。
・Δ＋(1232)はuudです。
軌道が、2.830×10−20m〜1.552×10−20mの中に2個のクオークが存在し、回転する。
軌道が、1.173×10−20m〜8.438×10−21mの中に1個のクオークが存在し、回転する。
・Δ0(1232)はuddです。
軌道が、2.830×10−20m〜1.552×10−20mの中に1個のクオークが存在し、回転する。
軌道が、1.173×10−20m〜8.438×10−21mの中に2個のクオークが存在し、回転する。
・Δ−(1232)はdddです。
軌道が、1.173×10−20m〜8.438×10−21mの中に3個のクオークが存在し、回転する。
・Λはudsです。
軌道が、2.830×10−20m〜1.552×10−20mの中に1個のクオークが存在し、回転する。
軌道が、1.173×10−20m〜8.438×10−21mの中に1個のクオークが存在し、回転する。
軌道が、6.010×10−22m〜3.699×10−22mの中に1個のクオークが存在し、回転する。
・Σ＋はuusです。
軌道が、2.830×10−20m〜1.552×10−20mの中に2個のクオークが存在し、回転する。
軌道が、6.010×10−22m〜3.699×10−22mの中に1個のクオークが存在し、回転する。
・Σ0はudsです。
軌道が、2.830×10−20m〜1.552×10−20mの中に1個のクオークが存在し、回転する。
軌道が、1.173×10−20m〜8.438×10−21mの中に1個のクオークが存在し、回転する。
軌道が、6.010×10−22m〜3.699×10−22mの中に1個のクオークが存在し、回転する。
・Σ−はddsです。
軌道が、1.173×10−20m〜8.438×10−21mの中に2 個のクオークが存在し、回転する。
軌道が、6.010×10−22m〜3.699×10−22mの中に1個のクオークが存在し、回転する。
・Ξ0はussです。
軌道が、2.830×10−20m〜1.552×10−20mの中に1個のクオークが存在し、回転する。
軌道が、6.010×10−22m〜3.699×10−22mの中に2個のクオークが存在し、回転する。
・Ξ−はdssです。
軌道が、1.173×10−20m〜8.438×10−21mの中に1個のクオークが存在し、回転する。
軌道が、6.010×10−22m〜3.699×10−22mの中に2個のクオークが存在し、回転する。
・Ω−はsssです。
軌道が、6.010×10−22m〜3.699×10−22mの中に3個のクオークが存在し、回転する。
クオークの回転方向はラブの回転方向です。
【請求項１２】
クオークの回転方向はどのようであるか。
クオークの回転方向はラブの回転方向です。
クオークはラブが6.249×108回公転して作る電磁気6.249×108個が集まり粒子と成った物であり、その回転は、ラブの回転方向と同じです。
それで、クオークの回転方向はラブの回転方向です。
陽子の場合。
陽子のラブが6.249×108回公転して作る電磁気6.249×108個が集まり粒子となったクオークの回転方向は、陽子のラブの回転方向と同じです。
それで、2.830×10−20m〜1.552×10−20mの軌道を回転するuクオークと、1.173×10−20m〜8.438×10−21mの軌道を回転するdクオークは同じ方向に回転する。陽子のラブの回転方向と同じ方向に回転する。
それで、uクオークが右方向に回転し、dクオークが左方向に回転する事は無い。uクオークとdクオークは陽子のラブが回転する方向に回転する。uクオークとdクオークは右方向に回転する。
中性子の場合。
中性子のラブが6.249×108回公転して作る電磁気6.249×108個が集まり粒子となったクオークの回転方向は、中性子のラブの回転方向と同じです。
それで、2.830×10−20m〜1.552×10−20mの軌道を回転するuクオークと、1.173×10−20m〜8.438×10−21mの軌道を回転するdクオークは同じ方向に回転する。中性子のラブの回転方向と同じ方向に回転する。
それで、uクオークが右方向に回転し、dクオークが左方向に回転する事は無い。uクオークとdクオークは中性子のラブが回転する方向に回転する。uクオークとdクオークは左方向に回転する。
【請求項１３】
クオークの存在意義
クオークは素粒子の中心部を回転し、素粒子の回転軸のような働きをする。
【請求項１４】
ニュートリノ振動について。
宇宙線が大気中の原子核と衝突すると、「ミューニュートリノ」が発生します。ニュートリノの種類と数を方向別にくらべた所、地球の裏から来たミューニュートリノの数は、観測装置上空から来たミューニュートリノの数より少ない事がわかりました。これは、地球の裏で発生したミューニュートリノが、地球の内部を通過する間に、別の種類のニュートリノに‘変身’したためだと考えられています。この現象がニュートリノ振動です。
地球の中を通過するとき、ミューニュートリノは‘変身’し、別の種類のニュートリノに成る。
この場合、ミューニュートリノは‘変身’し、エネルギーの大きいニュートリノに成ると考えられます。
ミューニュートリノは‘変身’し、エネルギーの大きいニュートリノに成る。
ミューニュートリノは‘変身’し、エネルギーの大きいニュートリノに成る場合、地球の中の場のエネルギーを吸収する。
ミューニュートリノのエネルギーは3.044×10-14Jで、1.264×1015個の電磁気よりできている。
ミューニュートリノの電磁気1個のエネルギーは、2.409×10-29Jで、電磁気の公転軌道は5.118×10-13mです。
このミューニュートリノに、地球の高エネルギーの場の電磁気が加わり、ミューニュートリノのエネルギーを増加した。
・マグマを通過したとき、電磁気がミューニュートリノに加わり、ミューニュートリノのエネルギーを増加した場合。
マグマの温度を1200℃とする。マグマのAは、A=12001/2=3.464×10、です。この場の電子のラブの公転軌道は、1.058×10−10m÷(3.464×10)＝3.054×10−12mです。
このマグマの場の電子のラブが作る電磁気の軌道は3.054×10−12mです。電磁気1個のエネルギーは、1.233×10−41Jm÷(3.054×10−12m)＝4.037×10−30Jです。
それで、マグマの場の電磁気は束に成っていて、この束がミューニュートリノに付加し、ミューニュートリノは、より高エネルギーのニュートリノに変身する。
ミューニュートリノ電磁気1個の軌道(5.118×10-13m)とマグマの場の電磁気1個の軌道(3.054×10−12m)が同じくらいの大きさなので、結合する。
マグマの場の電磁気は束に成っていて、この束がミューニュートリノに付加し、ミューニュートリノは、より高エネルギーのニュートリノに変身する。
マグマの場の１束の電磁気数が105個であるとすると、1束の電磁気のエネルギーは、105×4.037×10−30J＝4.037×10−25Jです。
このエネルギーがミューニュートリノに付加すると、変身したニュートリノのエネルギー＝付加した電磁気のエネルギー＋ミューニュートリノのエネルギー＝4.037×10−25J＋3.044×10-14J、です。
変身したニュートリノのエネルギーをKJとし、付加したマグマの場の電磁気の数をｘ個とすると、
KJ＝ミューニュートリノのエネルギー＋付加したマグマの場の電磁気のエネルギー＝ミューニュートリノのエネルギー＋付加したマグマの場の電磁気の数×マグマの場の電磁気1個のエネルギー＝3.044×10-14J＋ｘ×4.037×10−30J
ｘ＝KJ−3.044×10-14J÷(4.037×10−30J)、です。
例えば、変身したニュートリノのエネルギーが10−13Jの場合、付加したマグマの場の電磁気の数は、
ｘ＝(10−13J−3.044×10-14J) ÷(4.037×10−30J)＝6.956×10−14J÷(4.037×10−30J)＝1.723×1016(個)、です。
・ミューニュートリノがタウニュートリノに成るには、マグマの場の電磁気が何個付加しなければならないか。
(タウニュートリノのエネルギー−ミューニュートリノのエネルギー)÷マグマの場の電気の光子1個のエネルギー＝(2.916×10−12J−3.044×10−14J)÷(4.037×10−30J)＝2.886×10−12J÷(4.037×10−30J)＝7.149×1017(個)
ミューニュートリノがタウニュートリノに成るには、マグマの場の電磁気が7.149×1017個付加しなければならない。
まとめて表に示す。
変身したニュートリノのエネルギーとミューニュートリノのエネルギーと付加したマグマの場の電磁気1個のエネルギーと付加したマグマの場の電磁気の数
表５４
2018125989.tif 000056
変身したニュートリノのエネルギーが判ったら、マグマの場で付加された電磁気数が解る。
【発明の詳細な説明】
【技術分野】
【０００１】
本発明は、クオークの軌道とニュートリノ振動に関するものである。
【背景技術】
【０００２】
私は、2016年6月28日に提出した、特願2016−127116「Δ−1(1232)、Σ−1、Ξ−1、Ω−1」の「請求項４」クオークの軌道の計算はどのようにするべきか。に於いて、クオークの軌道エネルギーは、7.705×10−33Jmである事を理解した。
そして、2016年7月1日に提出した、特願2016−131420「粒子の中のクオーク」の「請求項１」に於いて、各種のクオークの質量エネルギー、電磁気数、電磁気1個のエネルギー、クオークの軌道をもとめ、それを表1に記した。
しかし、この式で計算できるクオークの軌道は、クオークの電磁気1個の軌道である。クオークの軌道＝クオークの電磁気1個の軌道としている。
更に、2017年1月16日に提出した、特願2017−004766「クオークとダークマター」の「請求項5」に於いて次のように記した。
(私は、課題４において、クオークの存在意義は陽子の中心で、回転軸のように作用する事であると考えた。しかし、クオークは電磁気の束であり、電磁気の軌道を回転し、陽子のラブの軌道を回転しているのではない事に気づいた。それで、クオークは陽子のラブの公転軌道の中央部の軌道を回転しているのではない。クオークは電磁気の軌道を回転しているのである)
【先行技術文献】
【特許文献】
【０００３】
【特許文献１】特願2016−103199
【特許文献１】特願2016−114926
【特許文献１】特願2016−123108
【特許文献１】特願2016−127116
【特許文献１】特願2016−131420
【特許文献１】特願2017−004766
【発明の概要】
【発明が解決しようとする課題】
【０００４】
１．クオークの軌道について。(2016年7月1日に提出した、特願2016−131420「粒子の中のクオーク」の「請求項１」のクオークの軌道の表について)
2．クオークは電磁気であるので、クオークの軌道は、1.233×10−41Jm÷クオークのエネルギー、と考える場合。
3．Δ−1(1232)、Σ−1、Ξ−1、Ω−1について。Δ−1(1232)、Σ−1、Ξ−1、Ω−1については2016年6月28日に提出した、特願2016−127116に記した。今回は、クオークは電磁気であるとして、クオークの電磁気の軌道を考える。
4．D+中間子、B+中間子、π+中間子、ρ(770)+中間子、K+中間子について。2016年5月24日に提出した、特願2016-103199「中間子２」に於いて、中間子は、中間子の中心の物とクオークと反クオークによって構成される。どのように回転しているか、を考えた。今回は、クオークは電磁気であるとして、クオークの電磁気の軌道を考える。
5．陽子、Δ+(1232)、Σ＋、Λ＋c、について。2016年6月9日に提出した、特願2016-114926「陽子、Δ+(１２３２)、Σ+、A+c  」に於いて、陽子は、陽子の中心の物とuクオークとuクオークとdクオークによって構成される。どのように回転しているか、を考えた。今回は、クオークは電磁気であるとして、クオークの電磁気の軌道を考える。
6．中性子、Δ0(1232)、Σ0、Ξ0について。2016年6月22日に提出した、特願2016-123108「中性子、Δ0,Σ0、Ξ0」に於いて、中性子は、中性子の中心の物とuクオークとdクオークとdクオークによって構成される。どのように回転しているか、を考えた。今回は、クオークは電磁気であるとして、クオークの電磁気の軌道を考える。
7．はたして、クオークは電磁気が6.249×108個集まった束であり電磁気の軌道を回転しているのか、それとも、電磁気が6.249×108個集まった1個の粒子としてクオークの軌道を回転しているのか。クオークは電磁気が6.249×108個集まった束であり電磁気であるか、それとも、クオークは電磁気が6.249×108個集まった1個の粒子であるか。
8．陽子の中にはクオークが3個あります。そのうちの1個を引き離します。クオークを1つ取り除いても、陽子の中には別にクオークが1個現れ、再び3個のクオークに成ります。この現象は何を示すか。
9．クオークとは何か。
10．クオークと軌道
11．各種の素粒子の中のクオークの軌道
12．クオークの回転方向はどのようであるか。
13．クオークの存在意義
14．ニュートリノ振動について。
【課題を解決するための手段】
【０００５】
１．クオークの軌道について。(2016年7月1日に提出した、特願2016−131420「粒子の中のクオーク」の「請求項１」のクオークの軌道の表を示す。
2．クオークは電磁気の束であり、電磁気の軌道を回転し、陽子のラブの軌道を回転しているのではない事に気づいた。それで、クオークは陽子のラブの公転軌道の中央部の軌道を回転しているのではない。クオークは電磁気の軌道を回転しているのである。
3．Δ−(1232)の構造はΔ−(1232)のラブとdクオークと、dクオークと、dクオークです。どのように回転しているか。
今回は、クオークは電磁気であるとして、クオークの電磁気の軌道を考える。
4．D+中間子は、D+ 中間子の中心の物とcクオークと反dクオークによって構成される。どのように回転しているか。
今回は、クオークは電磁気であるとして、クオークの電磁気の軌道を考える。
5. 陽子は中心の物とuクオークとuクオークとdクオークによって構成される。どのように回転しているか。
今回は、クオークは電磁気であるとして、クオークの電磁気の軌道を考える。
6．中性子は中心の物とuクオークとdクオークとdクオークによって構成される。どのように回転しているか。
今回は、クオークは電磁気であるとして、クオークの軌道を考える。
7．クオークは電磁気であると考えた場合、クオークの軌道は小さすぎる。それで、クオークは電磁気が6.249×108個集まった粒子であり電磁気でない。
クオークは電磁気が6.249×108個集まった1個の粒子である。
8．1．クオークは陽子のラブが存在する以前から存在したのではない。
1．クオークは陽子のラブにより作られる。その他
9．「クオークとは粒子の中の高エネルギーの軌道に存在する粒子で、どの軌道に存在するかによりエネルギーを異にする粒子である。」
「クオークは同じ方向に回転しており、ラブが公転する方向に回転する。クオークの種類の違いは回転する軌道とエネルギーです。」
「クオークはクオークが存在する軌道と同じ軌道の電磁気が6.249×108個集まってできる粒子である。」
10．クオークのエネルギーは一定でない。エネルギーの範囲がある。
この事は、クオークの軌道は一定でない。軌道の範囲がある。
11．陽子はuudです。
軌道が、2.830×10−20m〜1.552×10−20mの中に2個のクオークが存在し、回転する。
軌道が、1.173×10−20m〜8.438×10−21mの中に1個のクオークが存在し、回転する。
12．クオークはラブが6.249×108回公転して作る電磁気6.249×108個が集まり粒子と成った物であり、その回転は、ラブの回転方向と同じです。
13．クオークは素粒子の中心部を回転し、素粒子の回転軸のような働きをする。
14．マグマを通過したとき、電磁気がミューニュートリノに加わり、ミューニュートリノのエネルギーを増加した場合。
マグマの温度を1200℃とする。マグマのAは、A=12001/2=3.464×10、です。この場の電子のラブの公転軌道は、1.058×10−10m÷(3.464×10)＝3.054×10−12mです。
このマグマの場の電子のラブが作る電磁気の軌道は3.054×10−12mです。電磁気1個のエネルギーは、1.233×10−41Jm÷(3.054×10−12m)＝4.037×10−30Jです。
ミューニュートリノ電磁気1個の軌道(5.118×10-13m)とマグマの場の電磁気1個の軌道(3.054×10−12m)が同じくらいの大きさなので、結合する。
【発明の効果】
【０００６】
１．この表では、問題に成る事は、電磁気1個の軌道＝クオークの軌道となっている事です。
電磁気1個の軌道はクオークの軌道ではない。電磁気1個の軌道は、1.233×10−41Jm÷電磁気1個のエネルギー、である。
はたして、クオークの軌道はどのようであるかを再検討する。
2． クオークが回転する電磁気の軌道を表に示す。
3．Δ-(1232)、Σ-、Ξ-、Ω−について各々記す。
4．D+中間子、B+中間子、π+中間子、ρ(770)+中間子、K+中間子について各々記す。
5．陽子、Δ+(1232)、Σ＋、Λ＋c、について各々記す。
6．中性子、Δ0(1232)、Σ0、Ξ0について各々記す。
7．クオークの軌道＝電磁気6.249×108個の軌道＝クオークの軌道エネルギーの式÷クオークの質量エネルギー＝7.705×10−33Jm÷クオークの質量エネルギー
よって、表１を次のように訂正する。
クオークは電磁気が6.249×108個集まった1個の粒子であるときのクオークの軌道
クオークの質量エネルギー、電磁気数、電磁気6.249×108個のエネルギー、クオークの軌道を表に示す。
8．理解できる事を箇条書きに記す。
9．中性子の2.830×10−20m〜1.552×10−20mの軌道の中に1個のクオークが存在し、回転する。
1.173×10−20m〜8.438×10−21mの軌道の中に2個のクオークが存在し、回転する。
uクオークとdクオークは同じ方向に回転する。中性子のラブの公転方向と同じ方向に回転する。
uクオークとdクオークの違いは回転する軌道とエネルギーです。電荷は無い。
10．クオークの軌道の範囲を表に示す。
11．素粒子の中のクオークの軌道と数を示す。
12．陽子の場合、uクオークとdクオークは＋方向に回転する。中性子の場合、uクオークとdクオークは-方向に回転する。
13．変身したニュートリノのエネルギーとミューニュートリノのエネルギーと付加したマグマの場の電磁気1個のエネルギーと付加したマグマの場の電磁気の数を表に示す。
【図面の簡単な説明】
【０００７】
【図１】図１はクオークの回転方向を示す。陽子の場合。陽子のラブが6.249×108回公転して作る電磁気6.249×108個が集まり粒子となったクオークの回転方向は、陽子のラブの回転方向と同じです。それで、2.830×10−20m〜1.552×10−20mの軌道を回転するuクオークと、1.173×10−20m〜8.438×10−21mの軌道を回転するdクオークは同じ方向に回転する。陽子のラブの回転方向と同じ方向に回転するuクオークとdクオークは陽子のラブが回転する方向に回転する。uクオークとdクオークは右方向に回転する。中性子の場合。中性子のラブが6.249×108回公転して作る電磁気6.249×108個が集まり粒子となったクオークの回転方向は、中性子のラブの回転方向と同じです。それで、2.830×10−20m〜1.552×10−20mの軌道を回転するuクオークと、1.173×10−20m〜8.438×10−21mの軌道を回転するdクオークは同じ方向に回転する。中性子のラブの回転方向と同じ方向に回転する。uクオークとdクオークは中性子のラブが回転する方向に回転する。uクオークとdクオークは左方向に回転する。
【図２】図2はクオークの回転軌道の範囲を示す。uクオークの回転軌道範囲は2.830×10−20m〜1.552×10−20mです。dクオークの回転軌道範囲は1.173×10−20m〜8.438×10−21mです。sクオークの回転軌道範囲は6.010×10−22m〜3.699×10−22mです。cクオークの回転軌道範囲は4.077×10−23m〜3.589 ×10−23mです。bクオークの回転軌道範囲は1.165×10−23m〜1.101×10−23mです。tクオークの回転軌道は2.782×10−25mです。クオークを拡大して画く。
【発明を実施するための形態】
【０００８】
１．          クオークの軌道について。(2016年7月1日に提出した、特願2016−131420「粒子の中のクオーク」の「請求項１」のクオークの軌道の表について)
私は、2016年6月28日に提出した、「Δ−(1232)、Σー、Ξ−、Ω−」の「請求項４」に於いて、クオークの軌道エネルギーは、7.705×10−33Jmである事を知った。
そして、Δ−(1232)とΣーとΞ−とΩ−について、各々のクオークを設定し、それらについて、ラブの軌道とクオークの軌道を示した。
私は、2016年7月1日に提出した、特願2016−131420「粒子の中のクオーク」の「請求項１」に於いて、各種のクオークの質量エネルギー、電磁気数、電磁気1個のエネルギー、クオークの軌道をもとめ、それを表1に記した。
それは次の通りです。
クオークの質量エネルギー、電磁気数、電磁気1個のエネルギー、クオークの軌道
表１
2018125989.tif 000003
この表で、問題に成る事は、電磁気1個の軌道＝クオークの軌道となっている事です。
電磁気1個の軌道はクオークの軌道ではない。
電磁気1個の軌道は、1.233×10−41Jm÷電磁気1個のエネルギー、である。
はたして、クオークの軌道はどのようであるかを再検討する。
２．    クオークは電磁気であるので、クオークの軌道は、1.233×10−41Jm÷クオークのエネルギー、と考える場合。
私は、2016年6月28日に提出した、特願2016−127116「Δ−1(1232)、Σ−1、Ξ−1、Ω−1」の「請求項４」クオークの軌道の計算はどのようにするべきか。に於いて、クオークの軌道エネルギーは、7.705×10−33Jmである事を理解した。
そして、2016年7月1日に提出した、特願2016−131420「粒子の中のクオーク」の「請求項１」に於いて、各種のクオークの質量エネルギー、電磁気数、電磁気1個のエネルギー、クオークの軌道をもとめ、それを表1に記した。
しかし、この式で計算できるクオークの軌道は、クオークの電磁気1個の軌道である。クオークの軌道＝クオークの電磁気1個の軌道とした。
更に、2017年1月16日に提出した、特願2017−004766「クオークとダークマター」の「請求項5」に於いて次のように記した。
(私は、課題４において、クオークの存在意義は陽子の中心で、回転軸のように作用する事であると考えた。しかし、クオークは電磁気の束であり、電磁気の軌道を回転し、陽子のラブの軌道を回転しているのではない事に気づいた。それで、クオークは陽子のラブの公転軌道の中央部の軌道を回転しているのではない。クオークは電磁気の軌道を回転しているのである。
この事によって理解できる事
１．クオークは陽子や他の素粒子の中央に存在していない。中央に存在しているように観察されるが、この軌道は電磁気の軌道です。
2．クオークが存在する軌道は電磁気の軌道であり、ラブの軌道ではない。
3．ラブの軌道は、軌道＝8.665×10−24Jm÷エネルギー、の式によって求められる。
4．電磁気の軌道は、軌道＝1.233×10−41Jm÷エネルギー、の式によって求められる。
5．ラブの軌道は電磁気の軌道の、8.665×10−24Jm÷(1.233×10−41Jm)＝7.028×1017倍のエネルギーである。
6．電磁気の軌道はラブの軌道の、1.233×10−41Jm÷(8.665×10−24Jm)＝1.423×10−18倍のエネルギーである。
これはまるで、太陽が回転する軌道を太陽の質量の7.028×1017分の1×ｘ の質量の小惑星が太陽と一緒に回転しているようなものです。
7．クオークは電磁気です。電磁気の集合体であり、電磁気の軌道を回転する。
それで、クオークは電磁気であるので、クオークの軌道＝1.233×10−41Jm÷クオークのエネルギー、の式で計算する。
クオークの軌道は電磁気の軌道です。
表２
2018125989.tif 000004
この表により理解できる事。
1．クオークは電磁気の中央の軌道10−29m〜10−34mの軌道を回転する。
2．クオークは電磁気の中心の軌道を回転する。
3．クオークは電磁気の軌道の中心で、陽子のラブの中心軸のようでもある。)
３．    Δ−1(1232)、Σ−1、Ξ−1、Ω−1について。Δ−1(1232)、Σ−1、Ξ−1、Ω−1については2016年6月28日に提出した、特願2016−127116に記した。今回は、クオークは電磁気であるとして、クオークの電磁気の軌道を考える。
○Δ−(1232)の構造はΔ−(1232)のラブとdクオークと、dクオークと、dクオークです。どのように回転しているか。
今回は、クオークは電磁気であるとして、クオークの電磁気の軌道を考える。
クオークは、4.1MeV のdクオークと4.9MeV のdクオークと5.7MeV のdクオークとする。
表３
2018125989.tif 000005
表４
2018125989.tif 000006
4.9MeV のdクオークの軌道＝1.233×10−41Jm÷(7.850×10−13J)＝1.571×10−29m
Δ−(1232)のラブは3.215×10-18mの軌道を自転し、磁気の光子を作り、4.444×10-14mの軌道を公転し、電気の光子を作っている。
5.7MeV のdクオークは1.350×10−29mの電磁気の軌道を回転し、その外側の4.9MeV のdクオークは1.571×10−29mの電磁気の軌道を回転し、更に外側の4.1MeV のdクオークは1.877×10−29mの電磁気の軌道を回転している。
○Σ-の構成は、Σ-のラブとdクオークと、dクオークと、sクオークです。どのように回転しているか。
今回は、クオークは電磁気であるとして、クオークの電磁気の軌道を考える。
クオークは、4.1MeVのdクオークと5.7MeVのdクオークと130MeVのsクオークとする。
表５
2018125989.tif 000007
表６
2018125989.tif 000008
Σ−のラブは3.701×10-18mの軌道を自転し、磁気の光子を作り、5.115×10-14mの軌道を公転して電気の光子を作っている。
130MeV のsクオークは5.919×10−31mの電磁気の軌道を回転している。その外側を5.7MeV のdクオークは1.350×10−29mの電磁気の軌道を回転している。更に外側を4.1MeV のdクオークは1.877×10−29mの電磁気の軌道を回転している。
○Ξ-の構成は、Ξ-のラブとdクオークと、sクオークと、sクオークです。どのように回転しているか。
今回は、クオークは電磁気であるとして、クオークの電磁気の軌道を考える。
クオークは、5.7MeVのdクオークと80MeVのsクオークと130MeVのsクオークとする。
表７
2018125989.tif 000009
表８
2018125989.tif 000010
Ξ−のラブは3.560×10-18mの軌道を自転し、磁気の光子を作り、4.920×10-14mの軌道を公転し、電気の光子を作っている。
130MeV のsクオークは5.919×10−31m の電磁気の軌道を回転している。その外側を80MeVのsクオークは9.618×10−31mの電磁気の軌道を回転している。更に外側を5.7MeV のdクオークは1.350×10−29mの電磁気の軌道を回転している。
○Ω−の構造は、Ω-のラブとsクオークと、sクオークと、sクオークです。どのように回転しているか。
今回は、クオークは電磁気であるとして、クオークの電磁気の軌道を考える。
クオークは、130 MeVのsクオークと105MeVのsクオークと80MeVのsクオークとする。
表９
2018125989.tif 000011
表１０
2018125989.tif 000012
105MeV のsクオークの軌道＝1.233×10−41Jm÷(1.682×10-11J)＝7.331×10−31m
Ω−のラブは2.882×10-18m の軌道を自転し、磁気の光子を作り、3.984×10-14mの軌道を公転し、電気の光子を作っている。
130MeV のsクオークは5.919×10−31mの電磁気の軌道を回転している。その外側を105MeVのsクオークは7.331×10−31m の電磁気の軌道を回転している。更に外側を80MeV のsクオークは9.618×10−31mの電磁気の軌道を回転している。
まとめ  
Δ-(1232)のラブとΣ-のラブとΞ-のラブとΩ−のラブの中を回転するクオークの軌道はどのようであるか。
今回は、クオークは電磁気であるとして、クオークの電磁気の軌道を考える。
ラブの中を回転するクオークの軌道をまとめて表に示す。
ラブの中を回転するクオークの軌道
表１１
2018125989.tif 000013
４．    D+中間子、B+中間子、π+中間子、ρ(770)+中間子、K+中間子について。2016年5月24日に提出した、特願2016-103199「中間子２」に於いて、中間子は、中間子の中心の物とクオークと反クオークによって構成される。どのように回転しているか、を考えた。今回は、クオークは電磁気であるとして、クオークの電磁気の軌道を考える。
○D+中間子は、D+ 中間子の中心の物とcクオークと反dクオークによって構成される。どのように回転しているか。
今回は、クオークは電磁気であるとして、クオークの電磁気の軌道を考える。
D+中間子の中の回転
表１２
2018125989.tif 000014
○B+中間子は、B+中間子の中心の物とuクオークと反bクオークによって構成される。どのように回転しているか。
今回は、クオークは電磁気であるとして、クオークの電磁気の軌道を考える。
B+中間子の中の回転
表１３
2018125989.tif 000015
○π+中間子は、π+中間子の中心の物とuクオークと反bクオークによって構成される。どのように回転しているか。
今回は、クオークは電磁気であるとして、クオークの電磁気の軌道を考える。
π+中間子の中の回転
表１４
2018125989.tif 000016
○ρ(770)+中間子は、ρ(770)+中間子の中心の物とuクオークと反dクオークによって構成される。どのよう回転しているか。
今回は、クオークは電磁気であるとして、クオークの電磁気の軌道を考える。
K+中間子の中の回転
表１５
2018125989.tif 000017
○K+中間子は、K+中間子の中心の物とuクオークと反sクオークによって構成される。どのように回転しているか。
今回は、クオークは電磁気であるとして、クオークの電磁気の軌道を考える。
K+中間子の中の回転
表１６
2018125989.tif 000018
５．    陽子、Δ+(1232)、Σ＋、Λ＋c、について。2016年6月9日に提出した、特願2016-114926「陽子、Δ+(１２３２)、Σ+、A+c  」に於いて、陽子は、陽子の中心の物とuクオークとuクオークとdクオークによって構成される。どのように回転しているか、を考えた。今回は、クオークは電磁気であるとして、クオークの電磁気の軌道を考える。
○陽子は中心の物とuクオークとuクオークとdクオークによって構成される。どのように回転しているか。
今回は、クオークは電磁気であるとして、クオークの電磁気の軌道を考える。
クオークは、1.7MeVのuクオーク、3.1 MeVのuクオーク、5.7MeVのdクオークとする。
陽子の中の回転
表１７
2018125989.tif 000019
○  Δ+(1232)は中心の物とuクオークとuクオークとdクオークによって構成される。どのように回転しているか。
今回は、クオークは電磁気であるとして、クオークの電磁気の軌道を考える。
クオークは、1.7MeVのuクオーク、3.1 MeVのu、5.7MeVのdクオークとする。
Δ+(1232)の中の回転
表１８
2018125989.tif 000020
○Σ＋は中心の物とuクオークとuクオークとsクオークによって構成される。どのように回転しているか。
今回は、クオークは電磁気であるとして、クオークの電磁気の軌道を考える。
クオークは、1.7MeVのuクオーク、3.1 MeVのuクオーク、130MeVのsクオークとする。
Σ＋の中の回転
表１９
2018125989.tif 000021
○Λ＋cは中心の物とuクオークとdクオークとcクオークによって構成される。どのように回転しているか。
今回は、クオークは電磁気であるとして、クオークの電磁気の軌道を考える。
クオークは、3.1 MeVのuクオーク、5.7MeVのdクオーク、1340MeVのcクオークとする。
Λ＋cの中の回転
表２０
2018125989.tif 000022
６．    中性子、Δ0(1232)、Σ0、Ξ0について。2016年6月22日に提出した、特願2016-123108「中性子、Δ0,Σ0、Ξ0」に於いて、中性子は、中性子の中心の物とuクオークとdクオークとdクオークによって構成される。どのように回転しているか、を考えた。今回は、クオークは電磁気であるとして、クオークの電磁気の軌道を考える。
○中性子は中心の物とuクオークとdクオークとdクオークによって構成される。どのように回転しているか。
今回は、クオークは電磁気であるとして、クオークの軌道を考える。
クオークは、3.1MeVのuクオーク、4.1 MeVのdクオーク、5.7MeVのdクオークとする。
中性子の中の軌道
表２１
2018125989.tif 000023
○Δ0(1232)は中心の物とuクオークとdクオークとdクオークによって構成される。どのように回転しているか。
今回は、クオークは電磁気であるとして、クオークの電磁気の軌道を考える。
クオークは、3.1MeVのuクオーク、4.1 MeVのdクオーク、5.7MeVのdクオークとする。
Δ0(1232)の中の回転
表２２
2018125989.tif 000024
○Σ0は中心の物とuクオークとdクオークとsクオークによって構成される。どのように回転しているか。
今回は、クオークは電磁気であるとして、クオークの電磁気の軌道を考える。
クオークは、3.1MeVのuクオーク、5.7MeVのdクオーク、130MeVのsクオークとする。
Σ0の中の回転
表２３
2018125989.tif 000025
○Ξ0は中心の物とuクオークとsクオークとsクオークによって構成される。どのように回転しているか。
今回は、クオークは電磁気であるとして、クオークの電磁気の軌道を考える。
クオークは、3.1MeVのuクオーク、80MeVのsクオーク、130MeVのsクオークとする。
Ξ0の中の回転
表２４
2018125989.tif 000026
７．    はたして、クオークは電磁気が6.249×108個集まった束であり電磁気の軌道を回転しているのか、それとも、電磁気が6.249×108個集まった1個の粒子としてクオークの軌道を回転しているのか。クオークは電磁気が6.249×108個集まった束であり電磁気であるか、それとも、クオークは電磁気が6.249×108個集まった1個の粒子であるか。
クオークは電磁気であると考えた場合、クオークの軌道は小さすぎる。それで、クオークは電磁気が6.249×108個集まった粒子であり電磁気でない。
クオークは電磁気が6.249×108個集まった1個の粒子である。
クオークは電磁気が6.249×108個集まった1個の粒子であるとき、クオークの軌道はどのように考えるべきか。
クオークの軌道＝電磁気6.249×108個の軌道＝クオークの軌道エネルギーの式÷クオークの質量エネルギー＝7.705×10−33Jm÷クオークの質量エネルギー
よって、表１を次のように訂正する
クオークは電磁気が6.249×108個集まった1個の粒子であるときのクオークの軌道
クオークの質量エネルギー、電磁気数、電磁気6.249×108個のエネルギー、クオークの軌道
表２５
2018125989.tif 000027
この表により理解できる事
1．クオークは電磁気が6.249×108個結合した粒子である。
2．クオークの質量エネルギーは、電磁気1個のエネルギー×6.249×108個です。
3．クオークの軌道は、クオークは電磁気が6.249×108個結合した粒子の軌道である。
4．クオークの軌道は、電磁気6.249×108個の粒子の軌道＝1.233×10−41Jm×6.249×108個÷粒子1個のエネルギー＝7.705×10−33Jm÷粒子1個のエネルギー、である。
5．クオークの軌道エネルギーは電磁気が6.249×108個結合した粒子のエネルギー×電磁気6.249×108個結合した粒子の軌道＝電磁気が6.249×108個結合した粒子のエネルギー×1.233×10−41Jm×6.249×108個÷粒子1個のエネルギー＝電磁気が6.249×108個結合した粒子のエネルギー×1.233×10−41Jm×6.249×108個÷電磁気が6.249×108個結合した粒子のエネルギー＝1.233×10−41Jm×6.249×108個＝7.705×10−33Jm、である。
８．    陽子の中にはクオークが3個あります。そのうちの1個を引き離します。クオークを1つ取り除いても、陽子の中には別にクオークが1個現れ、再び3個のクオークに成ります。この現象は何を示すか。
1．クオークは陽子のラブが存在する以前から存在したのではない。
1．クオークは陽子のラブにより作られる。
1．この事によって、クオークはビッグバンの時には存在しなかったことが理解できる。
1．素粒子はクオークからできたのではない。
1．クオークは、陽子のラブが自転し、公転することによってできる電磁気が6.249×108個集まってできる粒子である。
それで、1個のクオークが取り除かれても、取り除かれたクオークと同じ種類のクオークが、陽子のラブが自転し、公転することによってできる電磁気が6.249×108個集まってできる。
1．陽子のラブはuとdどちらの種類のクオークでも作れる。
1．クオークは存在する軌道により、エネルギーを異にする。
1．再生されるクオークは取り除かれたクオークと同じ種類のクオークです。
1．クオークは存在する事が必要であり、必ず存在する、必要十分条件により存在する。
９．    クオークとは何か。
「クオークとは粒子の中の高エネルギーの軌道に存在する粒子で、どの軌道に存在するかによりエネルギーを異にする粒子である。」
・例えば、陽子のなかに存在するクオークは、陽子の高エネルギーの軌道、2.830×10−20m〜8.438×10−21mに存在する粒子である。
2.830×10−20m(1.7MeVの軌道)〜1.552×10−20m(3.1MeVの軌道)に存在するクオークをuクオークとし、1.173×10−20m(4.1MeVの軌道)〜8.438×10−21m(5.7MeVの軌道)に存在するクオークをdクオークとしている。
「クオークは同じ方向に回転しており、ラブが公転する方向に回転する。クオークの種類の違いは回転する軌道とエネルギーです。」
「クオークはクオークが存在する軌道と同じ軌道の電磁気が6.249×108個集まってできる粒子である。」
uクオークは、2.830×10−20mの軌道の電磁気が6.249×108個集まってできる粒子である。そのエネルギーは、電磁気1個のエネルギーは、1.233×10−41Jm÷(2.830×10−20m)=
4.357 ×10−22Jで、6.249×108個集まって、4.357×10−22J×6.249×108個＝2.723×10−13J＝1.7MeV、に成る。
・例えば、中性子の中にはuクオーク、dクオーク、dクオークが存在する。
uクオークは、2.830×10−20m(1.7MeVの軌道)〜1.552×10−20m(3.1MeVの軌道)に存在する。
dクオークは、1.173×10−20m(4.1MeVの軌道)〜8.438×10−21m(5.7MeVの軌道)に存在する。
2.830×10−20m〜1.552×10−20mの軌道の中に1個のクオークが存在し、回転する。
1.173×10−20m〜8.438×10−21mの軌道の中に2個のクオークが存在し、回転する。
uクオークとdクオークは同じ方向に回転する。中性子のラブの公転方向と同じ方向に回転する。
uクオークとdクオークの違いは回転する軌道とエネルギーです。電荷は無い。
１０．    クオークと軌道
クオークのエネルギーは一定でない。エネルギーの範囲がある。
この事は、クオークの軌道は一定でない。軌道の範囲がある。
それで、クオークは軌道の範囲で表すことができる。
uクオークは軌道が、2.830×10−20m〜1.552×10−20mのものです。
dクオークは軌道が、1.173×10−20m〜8.438×10−21mのものです。
sクオークは軌道が、6.010×10−22m〜3.699×10−22mのものです。
cクオークは軌道が、4.077×10−23m〜3.589 ×10−23mのものです。
bクオークは軌道が、1.165×10−23m〜1.101×10−23mのものです。
tクオークは軌道が、2.782×10−25mのものです。
この事を表に示す。
クオークの軌道の範囲
表２６
2018125989.tif 000028
１１．    各種の素粒子の中のクオークの軌道
・陽子はuudです。
軌道が、2.830×10−20m〜1.552×10−20mの中に2個のクオークが存在し、回転する。
軌道が、1.173×10−20m〜8.438×10−21mの中に1個のクオークが存在し、回転する。
・中性子はuddです。
軌道が、2.830×10−20m〜1.552×10−20mの中に1個のクオークが存在し、回転する。
軌道が、1.173×10−20m〜8.438×10−21mの中に2個のクオークが存在し、回転する。
・Δ＋＋(1232)はuuuです。
軌道が、2.830×10−20m〜1.552×10−20mの中に3個のクオークが存在し、回転する。
・Δ＋(1232)はuudです。
軌道が、2.830×10−20m〜1.552×10−20mの中に2個のクオークが存在し、回転する。
軌道が、1.173×10−20m〜8.438×10−21mの中に1個のクオークが存在し、回転する。
・Δ0(1232)はuddです。
軌道が、2.830×10−20m〜1.552×10−20mの中に1個のクオークが存在し、回転する。
軌道が、1.173×10−20m〜8.438×10−21mの中に2個のクオークが存在し、回転する。
・Δ−(1232)はdddです。
軌道が、1.173×10−20m〜8.438×10−21mの中に3個のクオークが存在し、回転する。
・Λはudsです。
軌道が、2.830×10−20m〜1.552×10−20mの中に1個のクオークが存在し、回転する。
軌道が、1.173×10−20m〜8.438×10−21mの中に1個のクオークが存在し、回転する。
軌道が、6.010×10−22m〜3.699×10−22mの中に1個のクオークが存在し、回転する。
・Σ＋はuusです。
軌道が、2.830×10−20m〜1.552×10−20mの中に2個のクオークが存在し、回転する。
軌道が、6.010×10−22m〜3.699×10−22mの中に1個のクオークが存在し、回転する。
・Σ0はudsです。
軌道が、2.830×10−20m〜1.552×10−20mの中に1個のクオークが存在し、回転する。
軌道が、1.173×10−20m〜8.438×10−21mの中に1個のクオークが存在し、回転する。
軌道が、6.010×10−22m〜3.699×10−22mの中に1個のクオークが存在し、回転する。
・Σ−はddsです。
軌道が、1.173×10−20m〜8.438×10−21mの中に2 個のクオークが存在し、回転する。
軌道が、6.010×10−22m〜3.699×10−22mの中に1個のクオークが存在し、回転する。
・Ξ0はussです。
軌道が、2.830×10−20m〜1.552×10−20mの中に1個のクオークが存在し、回転する。
軌道が、6.010×10−22m〜3.699×10−22mの中に2個のクオークが存在し、回転する。
・Ξ−はdssです。
軌道が、1.173×10−20m〜8.438×10−21mの中に1個のクオークが存在し、回転する。
軌道が、6.010×10−22m〜3.699×10−22mの中に2個のクオークが存在し、回転する。
・Ω−はsssです。
軌道が、6.010×10−22m〜3.699×10−22mの中に3個のクオークが存在し、回転する。
クオークの回転方向はラブの回転方向です。
１２．    クオークの回転方向はどのようであるか。
クオークの回転方向はラブの回転方向です。
クオークはラブが6.249×108回公転して作る電磁気6.249×108個が集まり粒子と成った物であり、その回転は、ラブの回転方向と同じです。
それで、クオークの回転方向はラブの回転方向です。
陽子の場合。
陽子のラブが6.249×108回公転して作る電磁気6.249×108個が集まり粒子となったクオークの回転方向は、陽子のラブの回転方向と同じです。
それで、2.830×10−20m〜1.552×10−20mの軌道を回転するuクオークと、1.173×10−20m〜8.438×10−21mの軌道を回転するdクオークは同じ方向に回転する。陽子のラブの回転方向と同じ方向に回転する。
それで、uクオークが右方向に回転し、dクオークが左方向に回転する事は無い。uクオークとdクオークは陽子のラブが回転する方向に回転する。uクオークとdクオークは右方向に回転する。
中性子の場合。
中性子のラブが6.249×108回公転して作る電磁気6.249×108個が集まり粒子となったクオークの回転方向は、中性子のラブの回転方向と同じです。
それで、2.830×10−20m〜1.552×10−20mの軌道を回転するuクオークと、1.173×10−20m〜8.438×10−21mの軌道を回転するdクオークは同じ方向に回転する。中性子のラブの回転方向と同じ方向に回転する。
それで、uクオークが右方向に回転し、dクオークが左方向に回転する事は無い。uクオークとdクオークは中性子のラブが回転する方向に回転する。uクオークとdクオークは左方向に回転する。
１３．    クオークの存在意義
クオークは素粒子の中心部を回転し、素粒子の回転軸のような働きをする。
１４．    ニュートリノ振動について。
宇宙線が大気中の原子核と衝突すると、「ミューニュートリノ」が発生します。ニュートリノの種類と数を方向別にくらべた所、地球の裏から来たミューニュートリノの数は、観測装置上空から来たミューニュートリノの数より少ない事がわかりました。これは、地球の裏で発生したミューニュートリノが、地球の内部を通過する間に、別の種類のニュートリノに‘変身’したためだと考えられています。この現象がニュートリノ振動です。
地球の中を通過するとき、ミューニュートリノは‘変身’し、別の種類のニュートリノに成る。
この場合、ミューニュートリノは‘変身’し、エネルギーの大きいニュートリノに成ると考えられます。
ミューニュートリノは‘変身’し、エネルギーの大きいニュートリノに成る。
ミューニュートリノは‘変身’し、エネルギーの大きいニュートリノに成る場合、地球の中の場のエネルギーを吸収する。
ミューニュートリノのエネルギーは3.044×10-14Jで、1.264×1015個の電磁気よりできている。
ミューニュートリノの電磁気1個のエネルギーは、2.409×10-29Jで、電磁気の公転軌道は5.118×10-13mです。
このミューニュートリノに、地球の高エネルギーの場の電磁気が加わり、ミューニュートリノのエネルギーを増加した。
・マグマを通過したとき、電磁気がミューニュートリノに加わり、ミューニュートリノのエネルギーを増加した場合。
マグマの温度を1200℃とする。マグマのAは、A=12001/2=3.464×10、です。この場の電子のラブの公転軌道は、1.058×10−10m÷(3.464×10)＝3.054×10−12mです。
このマグマの場の電子のラブが作る電磁気の軌道は3.054×10−12mです。電磁気1個のエネルギーは、1.233×10−41Jm÷(3.054×10−12m)＝4.037×10−30Jです。
それで、マグマの場の電磁気は束に成っていて、この束がミューニュートリノに付加し、ミューニュートリノは、より高エネルギーのニュートリノに変身する。
ミューニュートリノ電磁気1個の軌道(5.118×10-13m)とマグマの場の電磁気1個の軌道(3.054×10−12m)が同じくらいの大きさなので、結合する。
マグマの場の電磁気は束に成っていて、この束がミューニュートリノに付加し、ミューニュートリノは、より高エネルギーのニュートリノに変身する。
マグマの場の１束の電磁気数が105個であるとすると、1束の電磁気のエネルギーは、105×4.037×10−30J＝4.037×10−25Jです。
このエネルギーがミューニュートリノに付加すると、変身したニュートリノのエネルギー＝付加した電磁気のエネルギー＋ミューニュートリノのエネルギー＝4.037×10−25J＋3.044×10-14J、です。
変身したニュートリノのエネルギーをKJとし、付加したマグマの場の電磁気の数をｘ個とすると、
KJ＝ミューニュートリノのエネルギー＋付加したマグマの場の電磁気のエネルギー＝ミューニュートリノのエネルギー＋付加したマグマの場の電磁気の数×マグマの場の電磁気1個のエネルギー＝3.044×10-14J＋ｘ×4.037×10−30J
ｘ＝KJ−3.044×10-14J÷(4.037×10−30J)、です。
例えば、変身したニュートリノのエネルギーが10−13Jの場合、付加したマグマの場の電磁気の数は、
ｘ＝(10−13J−3.044×10-14J) ÷(4.037×10−30J)＝6.956×10−14J÷(4.037×10−30J)＝1.723×1016(個)、です。
・ミューニュートリノがタウニュートリノに成るには、マグマの場の電磁気が何個付加しなければならないか。
(タウニュートリノのエネルギー−ミューニュートリノのエネルギー)÷マグマの場の電気の光子1個のエネルギー＝(2.916×10−12J−3.044×10−14J)÷(4.037×10−30J)＝2.886×10−12J÷(4.037×10−30J)＝7.149×1017(個)
ミューニュートリノがタウニュートリノに成るには、マグマの場の電磁気が7.149×1017個付加しなければならない。
まとめて表に示す。
変身したニュートリノのエネルギーとミューニュートリノのエネルギーと付加したマグマの場の電磁気1個のエネルギーと付加したマグマの場の電磁気の数
表２７
2018125989.tif 000029
変身したニュートリノのエネルギーが判ったら、マグマの場で付加された電磁気数が解る。
【産業上の利用可能性】
【０００９】
素粒子について知ることは産業に役立つ。
【符号の説明】
【００１０】
１    陽子のラブ    
２    電磁気6.249×108個    
３    陽子の2.830×10−20m〜1.552×10−20mの軌道を回転するuクオーク    
４    陽子の1.173×10−20m〜8.438×10−21mの軌道を回転するdクオーク    
５    中性子のラブ    
６    中性子の2.830×10−20m〜1.552×10−20mの軌道を回転するuクオーク    
７    中性子の1.173×10−20m〜8.438×10−21mの軌道を回転するdクオーク
８    uクオークの回転軌道範囲は2.830×10−20m〜1.552×10−20m
９    dクオークの回転軌道範囲は1.173×10−20m〜8.438×10−21m
１０    sクオークの回転軌道範囲は6.010×10−22m〜3.699×10−22m
１１    cクオークの回転軌道範囲は4.077×10−23m〜3.589 ×10−23m
１２    bクオークの回転軌道範囲は1.165×10−23m〜1.101×10−23m
１３    tクオークの回転軌道は2.782×10−25m
１４    ラブの公転軌道
【図１】
2018125989.tif 000057
【図２】
2018125989.tif 000058
【手続補正書】
【提出日】平成29年2月13日(2017.2.13)
【手続補正１】
【補正対象書類名】図面
【補正対象項目名】図１
【補正方法】変更
【補正の内容】
【図１】
2018125989.tif 000059